【手続補正書】
【提出日】平成17年11月25日(2005.11.25)
【手続補正１】
【補正対象書類名】特許請求の範囲
【補正対象項目名】全文
【補正方法】変更
【補正の内容】
【特許請求の範囲】
【請求項１】
基地局から到来する無線周波数信号をコードに対応する周期で変化させることによりコードを基地局に供給するトランスポンダであって、
前記コードを生成する識別コード生成手段と、
無線周波数信号とＡＣ結合するように配置され、前記生成手段に供給電圧を印加し、整流器として動作する少なくとも１つの回路を含む整流器手段と、
主電流経路を有する変調トランジスタであって、コードを受け取るために結合されて整流器手段により提供される可変負荷を生成し、その結果前記周期で前記無線周波数信号が変化する制御電極を含む変調トランジスタと、
前記コードの電圧レベルを適合化させ、適合化された電圧レベルを有する前記コードを前記変調トランジスタの前記制御電極に供給する電圧適合化手段と、
別個の供給電圧を前記電圧適合化手段に印加する別の整流器手段と、を備え、
前記回路の少なくとも１つが前記変調トランジスタの主電流経路を含む整流器として動作する、トランスポンダ。
【請求項２】
前記電圧適合化手段は、適合化トランジスタの主電流経路と抵抗素子との直列結合を含み、この直列結合は前記別個の供給電圧を受け取るために結合され、前記適合化トランジスタの制御電極は、前記識別コード生成手段によって供給される前記コードを受け取るために結合され、前記適合化トランジスタと前記抵抗素子との共通接合は、前記変調トランジスタの前記制御電極に結合されることを特徴とする、請求項１に記載のトランスポンダ。
【請求項３】
トランスポンダが前記基地局の第１接続パッドとの静電結合のための第１接続パッドを備えるために、かつ、トランスポンダが前記基地局の第２接続パッドとの静電結合のための第２接続パッドを含むために、ＡＣ結合が静電結合であり、前記整流器手段が、前記変調トランジスタではなく整流器として動作してトランスポンダの前記第１接続パッドとトランスポンダの前記第２接続パッドとの間に結合される回路を含み、前記変調トランジスタの主電流経路が前記識別コード生成手段の供給端子と直列に接続され、さらに、別の整流器手段が前記静電結合を介して前記無線周波数信号と結合されるよう配置されることを特徴とする、請求項１または２に記載のトランスポンダ。
【請求項４】
トランスポンダが基地局の第１接続パッドとの静電結合のための第１接続パッドを含み、またトランスポンダが基地局の第２接続パッドとの静電結合のための第２接続パッドを含むため、前記ＡＣ結合が静電結合であり、また変調トランジスタの主電流経路がトランスポンダの第１接続パッドとトランスポンダの第２接続パッドとの間に結合され、また整流器手段が、変調トランスポンダではなく整流器として動作して生成手段の供給端子と直列に結合される回路を含み、また別の整流器手段が静電結合を介して無線周波数信号と結合するよう構成されることを特徴とする、請求項１または２に記載のトランスポンダ。
【請求項５】
トランスポンダが前記基地局のコイルとの電磁結合のためのコイルを備えるために前記ＡＣ結合は電磁結合であり、前記コイルは前記整流器手段と前記別の整流器手段とに電気的に結合されて前記無線周波数信号を受け取り、前記変調トランジスタの前記主電流経路は、前記識別コード生成手段の供給端子と直列に結合されることを特徴とする、請求項１または２に記載のトランスポンダ。
【請求項６】
トランスポンダが、単一または複数の有機材料から主に製造される電子部品を備えることを特徴とする、請求項１乃至５のいずれかに記載のトランスポンダ。
【請求項７】
前記有機材料の少なくとも１つは重合体であることを特徴とする、請求項６に記載のトランスポンダ。
【手続補正２】
【補正対象書類名】明細書
【補正対象項目名】０００４
【補正方法】変更
【補正の内容】
【０００４】
これに関して、本発明は、コードに対応する周期で基地局から到来する無線周波数信号を変化させることによって基地局にコードを供給するトランスポンダであって、コードを生成する識別コード生成手段と、無線周波数信号とＡＣ結合するように配置されて生成手段に供給電圧を印加し、整流器として動作する少なくとも１つの回路を含む整流器手段と、主電流経路を有する変調トランジスタであって、整流器手段により提供される可変負荷を生成してそれによって上記周期で無線周波数信号が変化するコードを受け取るために結合される制御電極を含む変調トランジスタと、コードの電圧レベルを適合化させ、かつ、適合化された電圧レベルでコードを変調トランジスタの制御電極に供給する電圧適合化手段と、別個の供給電圧を電圧適合化手段に印加する別の整流器手段とを備え、整流器として動作する上記回路の少なくとも１つが上記変調トランジスタの主電流経路を含んでいる、トランスポンダを提供する。
【手続補正３】
【補正対象書類名】明細書
【補正対象項目名】００１０
【補正方法】変更
【補正の内容】
【００１０】
図２に示す電子システムは以下のように動作する。導電性接触パッドＰ１〜Ｐ４は、基地局ＲＦと識別トランスポンダＩＤＴとの間に静電結合を構成する。その結果、ＲＦ信号の一部は、整流器手段ＲＴＦと別の整流器手段ＦＲＴＦとに供給される。別の整流器手段ＦＲＴＦの目的は別の供給電圧Ｖ２を電圧適合化手段ＶＡＤＰＴに印加可能にすることにあり、供給電圧Ｖ１の値とは異なる別の供給電圧Ｖ２の値を選ぶ可能性が存在する。別の整流器手段ＦＲＴＦに供給されるＲＦ信号電流の部分は通常、整流器手段ＲＴＦに供給されるＲＦ信号電流の部分よりも非常に小さい。コード生成手段ＩＤＣＧは、信号出力端子３と第１供給端子１との間にコード信号を供給する。電圧適合化手段ＶＡＤＰＴは、コード信号の電圧レベルを適合化させる。適合化された電圧レベルを有するコード信号は接続点９に供給され、したがって、変調トランジスタＴＭのゲートに印加される。変調トランジスタＴＭの伝導性は、電圧適合化されたコード信号に応じて変化する。変調トランジスタＴＭが伝導状態にある場合、図７のダイオードＤ２などのダイオードの機能を果たす。ダイオードＤ１の機能は、導電パッドＰ１〜Ｐ４に流れる平均電流またはこれらから流れてくる平均電流が平均でゼロに等しくなるようにすることである。これにより、導電パッドＰ１とＰ３との間、およびＰ２とＰ４との間でＤＣ電圧の上昇をそれぞれ回避することができる。これによって、識別トランスポンダＩＤＴの動作が沈滞するようになる。整流されたＲＦ信号は、平滑コンデンサＣによって平滑化される。その結果、識別コード生成手段ＩＤＣＧの第１および第２供給端子１および２の間には、ほぼ一定の供給電圧Ｖ１が存在することになる。整流器手段ＲＴＦの負荷は識別コード生成手段ＩＤＣＧのみではなく、変調トランジスタＴＭによっても決定される。識別コード生成手段ＩＤＣＧは、信号出力端子３のコード信号を供給するよう配置されている。この信号は、識別コードに対応する周期で変化する。識別コードは、例えば、スキャンすべき対象の価格を表す。可変信号は最終的に（電圧レベル適合化されたコード信号を経て）変調トランジスタＴＭのゲートに送られるので、変調トランジスタＴＭの伝導性も識別コードに対応する周期で変化する。その結果、基地局ＢＳから抽出されるＲＦ信号の量も、上記周期で変化する。ＲＦ信号におけるこの変化は、例えば、公開番号ＷＯ９９／３０４３２の国際特許出願の図２に示す方法など、既知の方法で検出することができる。
【手続補正４】
【補正対象書類名】明細書
【補正対象項目名】００１５
【補正方法】変更
【補正の内容】
【００１５】
図３は、本発明によるトランスポンダＩＤＴで使用されるべき別の整流器手段ＦＲＴＦの第１の実施の形態の回路図を示す。この回路は整流器回路の最も基本的な形状であり、これは接続点４および６の間に接続されたダイオードｄ１と、一方では接続点６と、他方では相互接続された接続点５および７と、の間に接続された平滑コンデンサＣ１とを含む。接続点６に接する接続点７の電位に対してプラスの電位が存在する。望まれる場合は、ダイオードｄ１の極性を反転することができ、これにより接続点６の電位が接続点７の電位に対してマイナスになる。フリーホイール・ダイオードＤ１はトランスポンダＩＤＴの他の位置にすでに存在しているので（特に図２を参照）、図３のダイオードｄ１が指示された極性に接続されている場合、図３に示す回路においては、このフリーホイール・ダイオードはもはや必要ではない。（接続点６に接する接続点７に対してマイナスの電位を生成するために）ダイオードｄ１の反転極性が存在する場合、追加のフリーホイール・ダイオードが必要となる。この追加のフリーホイール・ダイオードは、図３のｄ３で示されており、接続点４および５の間の破線で描かれている。この追加のフリーホイール・ダイオードｄ３が実際に反並列にフリーホイール・ダイオードＤ１に接続されているのが観察されるはずである（図２を参照）。導電パッドＰ２に対して導電パッドＰ１に肯定極性が存在するという（図２における）事実のために、追加のフリーホイール・ダイオードｄ３は整流器手段ＲＴＦの入力で望ましくない（損失）負荷を実際に形成する。別の整流器手段ＦＲＴＦは（整流器手段ＲＦＴと比べて）比較的小さな電流を送る必要があるため、追加のフリーホイール・ダイオードｄ３の寸法もフリーホイール・ダイオードＤ１の寸法と比べて比較的小さい。その結果、追加のフリーホイール・ダイオードｄ３によって生じるエネルギーの損失は小さい。
【手続補正５】
【補正対象書類名】明細書
【補正対象項目名】００１８
【補正方法】変更
【補正の内容】
【００１８】
図５は、本発明によるトランスポンダで使用されるべき電圧適合化手段ＶＡＤＰＴの実施の一形態の回路図を示す。この回路は、適合化トランジスタＴａｄｐｔの主電流経路および抵抗素子Ｒの直列組合せを含む。この例の抵抗素子Ｒは、そのソースおよびゲートが短絡されるＰタイプ電界効果トランジスタにおいて具体化されている。適合化トランジスタＴａｄｐｔのソースは、接続点１１を形成している。適合化トランジスタＴａｄｐｔのゲートは、接続点８を形成している。適合化トランジスタＴａｄｐｔのドレインと抵抗素子Ｒとの共通接合部は、接続点９を形成している。抵抗素子Ｒの他方の側（ドレイン）は、接続点１０を形成している。適合化トランジスタＴａｄｐｔのゲートは、信号出力端子３からコード信号を受け取る。それに応じて、適合化トランジスタＴａｄｐｔは抵抗素子Ｒを介して電流を送るが、この電流はコード信号に応じて変化する。その結果、適合化された電圧レベルを有するコード信号が、接続点９に生じる。